(57)【要約】【課題】構成の複雑化を招くことなく、刈草収容部について、小型のシリンダによる最大限の開閉動作と確実なロック動作を確保するとともに、迅速な開閉動作を可能とする乗用芝刈機刈草収容コンテナを提供する。【解決手段】乗用芝刈機刈草収容コンテナは、刈草を後方送出する搬送ダクト（Ｂ）の排出開口（Ｃ）に対して開閉可能に軸支した籠状構成の刈草収容部（４）と、この刈草収容部（４）を開閉スイッチ（５ａ）の操作に応じて、排出開口（Ｃ）を開放する開放角度位置および排出開口（Ｃ）を閉塞する閉塞角度位置に回動駆動するシリンダ機構（５）とから構成され、上記刈草収容部（４）には、その閉塞角度位置で拘束と解放を切替え可能なロック部材（６）と、このロック部材（６）と連結してその拘束および解放を開閉の操作位置（Ｏ，Ｃ）と対応して切替えるロックレバー（７）とを設けたものである。【選択図】図２
2011050327.tif 000002
【特許請求の範囲】
【請求項１】
刈草を後方送出する搬送ダクト（Ｂ）の排出開口（Ｃ）に対して開閉可能に軸支した籠状構成の刈草収容部（４）と、この刈草収容部（４）を開閉スイッチ（５ａ）の操作に応じて、排出開口（Ｃ）を開放する開放角度位置および排出開口（Ｃ）を閉塞する閉塞角度位置に回動駆動するシリンダ機構（５）とからなる乗用芝刈機刈草収容コンテナにおいて、
上記刈草収容部（４）には、その閉塞角度位置で拘束と解放を切替え可能なロック部材（６）と、このロック部材（６）と連結してその拘束および解放を開閉の操作位置（Ｏ，Ｃ）と対応して切替えるロックレバー（７）とを設けたことを特徴とする乗用芝刈機刈草収容コンテナ。
【請求項２】
前記ロックレバー（７）には、その開閉の操作位置（Ｏ，Ｃ）と対応して刈草収容部（４）が回動動作するように前記開閉スイッチ（５ａ）に作用する連動作用部（７ｂ）を設けるとともに、同ロックレバー（７）の閉操作位置（Ｃ）で刈草収容部（４）の閉塞角度位置までの待ち受け拘束を可能とする遊動連結部（１２）を前記ロック部材（６）との間に介設したことを特徴とする請求項１記載の乗用芝刈機刈草収容コンテナ。
【発明の詳細な説明】
【技術分野】
【０００１】
本発明は、乗用芝刈機の機体後部に開閉可能に設けられ、芝刈部から送風搬送された刈草を収容する乗用芝刈機刈草収容コンテナに関するものである。
【背景技術】
【０００２】
特許文献１の乗用芝刈機の例にように、乗用芝刈機の機体後部に後方送出用搬送ダクトの排出開口に臨んで籠状に形成した刈草収容部を開閉可能に軸支し、芝刈部から送風搬送された刈草を受ける刈草収容コンテナ装置が知られている。詳細には、機体後部に開閉可能に軸支した刈草収容部を閉鎖位置にロックするフック状アームによるロック金具を刈草収容部の外側に軸支し、このロック金具をスイッチ操作で伸縮するシリンダと連結することにより、搬送ダクトの刈草詰まり時のメンテナンスや刈草収容部からの刈草排出のために必要な大きな開閉動作と確実なロック動作を共通のアクチュエータによる簡易な構成によって実現することができる。
【先行技術文献】
【特許文献】
【０００３】
【特許文献１】特許３６６２１１９号公報
【発明の概要】
【発明が解決しようとする課題】
【０００４】
しかしながら、共通のアクチュエータであるシリンダは、刈草収容部の開閉動作とロック動作をその伸縮動作によって行うことから、それぞれの動作に対応する伸縮動作のために長い伸縮ストロークが必要となり、結果としてシリンダの大型化に伴う重量とコストの増加を招き、また、２つの行程の順次動作のために、刈草収容部の開閉の都度、動作完了まで長い時間を要するという問題があった。
【０００５】
本発明の目的は、構成の複雑化を招くことなく、刈草収容部について、小型のシリンダによる最大限の開閉動作と確実なロック動作を確保するとともに、迅速な開閉動作を可能とする乗用芝刈機刈草収容コンテナを提供することにある。
【課題を解決するための手段】
【０００６】
請求項１の発明は、刈草を後方送出する搬送ダクトの排出開口に対して開閉可能に軸支した籠状構成の刈草収容部と、この刈草収容部を開閉スイッチの操作に応じて、排出開口を開放する開放角度位置および排出開口を閉塞する閉塞角度位置に回動駆動するシリンダ機構とからなる乗用芝刈機刈草収容コンテナにおいて、上記刈草収容部には、その閉塞角度位置で拘束と解放を切替え可能なロック部材と、このロック部材と連結してその拘束および解放を開閉の操作位置と対応して切替えるロックレバーとを設けたことを特徴とする。
【０００７】
上記刈草収容部は、開閉スイッチの操作によるシリンダ動作によって開閉駆動され、その閉塞角度位置においては、ロックレバーの操作と連動するロック部材により拘束と解放が切替えられる。すなわち、ロックレバーが開操作位置であれば、開閉スイッチの操作に応じて刈草収容部が開放角度位置と閉塞角度位置に回動動作し、刈草収容部が閉塞角度位置にある時は、シリンダ動作によらず、ロックレバーの操作のみで、拘束と解放が切替えられる。
【０００８】
請求項２の発明は、請求項１の構成において、前記ロックレバーには、その開閉の操作位置と対応して刈草収容部が回動動作するように前記開閉スイッチに作用する連動作用部を設けるとともに、同ロックレバーの閉操作位置で刈草収容部の閉塞角度位置までの待ち受け拘束を可能とする遊動連結部を前記ロック部材との間に介設したことを特徴とする。
上記ロックレバーの操作により、開操作位置ではロック部材の解放動作と開閉スイッチによる刈草収容部の開放角度位置への回動駆動が行われ、閉操作位置ではロック部材の拘束動作と開閉スイッチによる刈草収容部の閉塞角度位置への回動駆動が行われ、この時、ロック部材との間に介設した遊動連結部により刈草収容部が閉塞角度位置で待ち受け拘束される。
【発明の効果】
【０００９】
請求項１に係る乗用芝刈機刈草収容コンテナは、刈草収容部が、開閉スイッチの操作によるシリンダ動作によって開閉駆動され、その閉塞角度位置においては、シリンダ動作によることなく、ロックレバーの操作と連動するロック部材により拘束と解放が切替えられる。したがって、シリンダ機構の全ストロークを刈草収容部の開閉動作に当てることができるので、小型のシリンダ機構によって最大限の開閉動作が可能となり、また、ロック部材の動作切替えは、ロックレバーのレバー操作により、特段の動作時間を要することなく、即時完結することから、コンテナ開閉の迅速な取扱いが可能となる。
【００１０】
請求項２に係る発明は、ロックレバーの操作により、開操作位置では、ロック部材の解放動作と開閉スイッチによる刈草収容部の開放角度位置への回動駆動が行われ、閉操作位置では、ロック部材の拘束動作と開閉スイッチによる刈草収容部の閉塞角度位置への回動駆動が行われ、この時、ロック部材との間に介設した遊動連結部により刈草収容部が閉塞角度位置で待ち受け拘束される。したがって、上記乗用芝刈機刈草収容コンテナは、請求項１の効果に加え、ロックレバーの簡易な開閉操作により、迅速性を損なうことなく、刈草収容部の開閉の確実な取扱いが可能となる。
【図面の簡単な説明】
【００１１】
【図１】乗用芝刈機の要部平面図（ａ）およびその側面図（ｂ）
【図２】コンテナ支持枠まわりの要部拡大側面図
【図３】伝動系の要部拡大による動作図
【図４】開閉スイッチまわりの要部拡大図
【図５】別のロック方法の構成例の側面図
【図６】支点越えスプリングによる構成例の側面図
【発明を実施するための形態】
【００１２】
上記技術思想に基づいて具体的に構成された実施の形態について以下に図面を参照しつつ説明する。
本発明の刈草収容コンテナ装置１は、乗用芝刈機の要部平面図（ａ）およびその側面図（ｂ）を図１に示すように、乗用芝刈機の操縦席Ａの下方で刈草を後方送出する搬送ダクトＢと連通して機体後部取付けられ、搬送ダクトＢの排出開口Ｃに臨んでレバーハンドル２ａにより着脱可能に取付けたコンテナ支持枠２と、このコンテナ支持枠２と一体のコンテナ支軸３と、このコンテナ支軸３について開閉可能に軸支した籠状容器である刈草収容部４とから構成される。
【００１３】
コンテナ支持枠２には、図２の要部拡大側面図に示すように、刈草収容部４と連結して開閉駆動する電動式シリンダ機構５およびその操作のために操縦席Ａ近傍に配置したシーソー動作型スイッチや２つのリミットスイッチ等によって開閉操作を検出する開閉スイッチ５ａと、刈草収容部４に設けた一体ピン６ｂについてその閉塞角度位置で拘束と解放を切替え可能に軸支したフック状のロック部材６と、このロック部材６と連結して拘束と解放を開閉の操作位置Ｏ，Ｃにより切替えるロックレバー７とを設ける。このロックレバー７は、ブラケット２ｂを介してコンテナ支持枠２に取付ける。
【００１４】
このロックレバー７とロック部材６とを連係する伝動系には、図３の要部拡大による動作図に示すように、動作変換用のＬ型リンク１１および長穴１２ａによる遊動連結部１２を形成したロッドやワイヤによる伝動材１３を介設する。遊動連結部１２の長穴１２ａは、ロックレバー７の閉操作位置Ｃにおいて、刈草収容部４が閉鎖角度位置に至る待ち受け拘束に対応する支持位置および遊動長さに形成する。また、ロックレバー７には、その開閉の操作位置Ｏ，Ｃと対応して刈草収容部４が回動動作するように開閉スイッチ５ａに作用するとともに、中立の操作位置Ｎで開閉スイッチ５ａの切替えを保持するピン等による連動作用部７ｂを突設する。
【００１５】
上記構成の刈草収容コンテナ装置１は、開閉スイッチ５ａの操作によるシリンダ機構５の動作によって刈草収容部４が開閉駆動され、その閉塞角度位置においては、ロックレバー７の操作と連動するロック部材６により拘束と解放が切替えられる。したがって、シリンダ機構５の全ストロークを刈草収容部４の開閉動作に当てることができるので、小型のシリンダ機構による最大限のコンテナ開閉動作によって刈草排出や搬送ダクトＢのメンテナンスが可能となり、また、ロック部材６の動作は、ロックレバー７のレバー操作によって完結することから、特段の動作時間を要することなく、コンテナ開閉の迅速な取扱いが可能となる。
【００１６】
ロックレバー７を開操作位置Ｏに操作すると、ロック部材６が刈草収容部４側の一体ピン６ｂを解放する位置に動作すると共に、開閉スイッチ５ａにより電動シリンダ機構５を伸長動作させることで、刈草収容部４内に収容した刈り草を排出すべく、刈草収容部４を開放角度位置へ上昇回動駆動が行われる。
【００１７】
また、ロックレバー７を閉操作位置Ｃに操作すると、ロック部材６が一体ピン６ｂを拘束する位置に動作すると共に、開閉スイッチ５ａにより電動シリンダ機構５を縮小動作させることで、刈草収容部４を閉塞角度位置へ下降回動駆動が行われる。このとき、一体ピン６ｂは既にロック位置にあるロック部材６に当接してロック部材６を動かしてロック位置まで移動してロック部材６でロックされる。
【００１８】
この閉操作位置Ｃでは、中立操作位置Ｎを含め、ロック部材６に至る伝動系に介設した遊動連結部１２により、刈草収容部４の一体ピン６ｂがその閉塞角度位置で待ち受け拘束される。したがって、上記乗用芝刈機刈草収容コンテナ装置１は、ロックレバー７の簡易な開閉操作により、迅速性を損なうことなく、刈草収容部４の開閉の確実な取扱いが可能となる。
【００１９】
なお、ロックレバー７は開操作位置Ｏまたは閉操作位置Ｃに操作しているときに運転者がロックレバー７を離すと、ロックレバー７は中立位置Ｎに戻り、電動シリンダ機構５の動作が止まる。すなわち、刈草収容部４を所望の回動角度位置で停止できる。
【００２０】
また、コンテナ支持枠２のレバーハンドル２ａの操作により、ロックレバー７を含むコンテナ装置を一体のユニットとして容易に着脱することができるのみならず、多用途作業車両についての選択機能として幅広い適用性を確保することができる。
【００２１】
（保護機構）
次に、上記構成のコンテナ装置の保護機構について説明する。
刈草収容部４を開閉動作させる開閉スイッチ５ａには、図４の要部拡大図に示すように、その上を覆うカバー部材２１を開閉支点２１ａについて開閉可能に軸支し、その開閉操作を伝動するリンク２２とロッド２３とをロック部材６に連結する。
【００２２】
このように構成することにより、カバー部材２１を閉じて開閉スイッチ５ａを覆っておけば、無意識的に開閉スイッチ５ａを押した場合の刈草収容部４の開放動作を防止し、その一方で、カバー部材２１を開くことにより、刈草収容部４のダンプ操作確実に行うことができる。なお、図中の符号「２１ｂ」はカバー部材２１の中折れ支点、同「２２ａ」はリンク２２の回動支点を示す。
【００２３】
次に、モア作業中の刈草収容部４の別のロック方法について説明すると、図５の構成例の側面図に示すように、モアが芝刈り動作中に刈草収容部４が開くとエンジンが自動停止する安全装置を構成するスイッチ３１を利用し、または、別の感知スイッチを設け、刈草収容部４が開くとそれを閉じる方向にシリンダ機構５を自動的に駆動するように制御する。この制御により、ロック機構を設けなくても、刈草収容部４が閉鎖角度位置に常に維持されることから、コンテナ装置をシンプルに構成することができる。
【００２４】
次に、支点越えスプリングによる刈草収容部４のロック方法について説明すると、図６の構成例の側面図に示すように、電動シリンダ５によってダンプ可能に刈草収容部４を構成したその回動支点となるコンテナ支軸３との位置関係により、下げ位置（閉位置）と上げ位置（開位置）で作用が変わるように、コンテナ支持枠２に設けた支点４１ａと刈草収容部４に設けた支点４１ｂとの間に支点越えスプリング４１を設ける。
【００２５】
このスプリング４１の弾発力により、上げ位置では刈草収容部４を上げる方向にスプリング４１が作用し、下げ位置では刈草収容部４を下げる方向にスプリング４１が作用して刈草収容部４がそれぞれの位置に弾発保持されることにより、複雑なロック機構を要することなく、下げ位置における刈草収容部４の開きを防止することができる。
【符号の説明】
【００２６】
１      刈草収容コンテナ装置
２      コンテナ支持枠
３      コンテナ支軸
４      刈草収容部
５      シリンダ機構
５ａ    開閉スイッチ
６      ロック部材
６ｂ    一体ピン
７      ロックレバー
７ｂ    連動作用部
１１    リンク
１２    遊動連結部
Ｂ      搬送ダクト
Ｃ      排出開口
Ｃ      閉操作位置
Ｎ      中立操作位置
Ｏ      開操作位置
【図１】
2011050327.tif 000003
【図２】
2011050327.tif 000004
【図３】
2011050327.tif 000005
【図４】
2011050327.tif 000006
【図５】
2011050327.tif 000007
【図６】
2011050327.tif 000008